(57)【要約】【課題】使用者の使い勝手を向上させる杖用転倒防止用具を提供すること。  【解決手段】円筒部５の外周面に等間隔に複数の羽根状部材４を設けた杖用転倒防止具。立て掛ける対象物と羽根状部材４との摩擦力により滑り落ち、転倒を防ぐ。略流線型の形状と素材の硬度により羽根状部材４が変形し摩擦力が増大することで滑り落ち、転倒を抑制する。円筒部５の外周面に等間隔に複数枚設けた羽根状部材４は杖を平置きする際に本体フレームと平面との隙間を拡大し把持を容易にする。【選択図】    図１
2019024928.tif 000002
【特許請求の範囲】
【請求項１】
歩行補助用の杖に装着される物であって、円筒の外周面に複数の羽根状部材が具備されたことを特徴とする杖用転倒防止具。
【請求項２】
前記羽根状部材は、一端が狭く他端が広い略流線形を有していることを特徴とする請求項1記載の杖用転倒防止具。
【請求項３】
前記羽根状部材は、前記円筒の外周面に等間隔に配置されていることを特徴とする請求項1または請求項２記載の転倒防止具。
【発明の詳細な説明】
【技術分野】
【０００１】
この発明は、歩行を補助するための杖に取り付ける杖用転倒防止具に関する。
【背景技術】
【０００２】
一般的な杖の使用者が杖を放置する場合、壁、机や椅子の角に立て掛ける、グリップ部を机や椅子の角に引っかける、または地面に平置きするなどの方法がある。図２に示す一般的な杖は、使用者が把持するグリップ1と本体フレーム2と接地する石突部３が設けられている。一時的に杖を放置する場合、次回の使用時に把持しやすくするため、及び躓く危険を回避するために杖を傾斜させた状態で壁、机や椅子の角に斜めに立て掛けることが多い。
【０００３】
また、引っ掛けや立て掛ける適当な対象物が無い場合は、机上や床や座面などの平面に平置きして放置する。
【０００４】
壁に立て掛けて放置する場合は、壁に接するグリップ１と壁との摩擦力により転倒を抑止しようとするが、摩擦力が小さいため搖動に弱く転倒することが多い。
【０００５】
図３に示すとおり、机や椅子の角を利用して立て掛けて放置する場合は、本体フレーム２と対象物との摩擦力によって滑りを抑止しようとするが本体フレーム表面がコーティングされている場合が多く摩擦力が小さいため搖動に弱く滑り落ちることが多い。
【０００６】
また、床面や座面などの平面に寝かせて放置する場合は、図４に示すとおり、グリップ１と石突部３が平面との接点となり、本体フレーム２と平面との隙間が狭いため、杖を拾い上げる際に把持し難いという問題があった。
【０００７】
従来の転倒防止用具特開２００８‐２９５９８９は、本体フレーム２に粘着部を下面に設けた突起物を取り付け、粘着力と本体の重量によって対象物と杖を密着させて転倒を防止するものであるが、重心より下部に取り付けられないため対象物の高さが制限される、用具位置の調整が必要であるなどの理由で使いづらく、また、特開２００３‐１０２５２５は杖の表面全体にゴムをテープで貼り付け摩擦によって転倒を防止しようとするものであるが対象物との接触面積が小さく摩擦力が弱いこと、装着が困難なことなどにより使用しづらいものであった。
【先行技術文献】
【特許文献】
【０００８】
【特許文献１】特開２００８−２９５９８９号公報
【特許文献２】特開２００３−１０２５２５号公報
【発明の概要】
【発明が解決しようとする課題】
【０００９】
現状においては、一般的な杖を傾斜させ本体フレームと接触する対象物との摩擦力を利用して滑り落ちを防ぎ、尚且つ床面や座面などの平面に平置きした杖を把持しやすくできる機能を併せ持つ用具は普及していない。そこで本発明は上述の機能を併せ持つことで、杖の置き場の選択肢を増やし、使用者の置き場に迷う心理的ストレスを軽減させ、また平置きや転倒した杖の拾い上げを容易にして身体的な負担を軽減させて杖の利便性を向上させることを目的とする。 
【課題を解決するための手段】
【００１０】
以上の課題を解決するために、本発明は、弾力性のある樹脂を素材とし、円筒の外周面に複      数の羽根状部材が具備されたことを特徴とする杖用転倒防止具である。
また、前記羽根状部材は、一端が狭く他端が広い略流線形を有していることを特徴とする杖用転倒防止具である。
さらに、前記羽根用部材が、前記円筒の外周面に等間隔に配置されていることを特徴とする転倒防止具である。
【発明の効果】
【００１１】
本発明によれば、円筒部の外周面に具備された複数の羽根状部材の少なくとも1枚が机や椅子などの対象物と接触し、杖の重量によって変形することで接触面積が増大し摩擦係数が増加するため滑りが抑制され、杖が安定した状態に保たれることで使用者が一時的に杖を放置する場合に、高さが様々な机や椅子などに杖を立て掛け放置することができる。
【００１２】
また、一般的な歩行補助杖の使用者は下肢に問題を抱えている場合が多く、かがみ込みやしゃがみ込みは身体的に大きな負担となる。このため使用者は一時的に杖を放置する際には、常に杖の転倒に神経を使い、また転倒による物音で周囲に不安を与えることへの懼れを抱えることとなるが、本発明の効果により転倒の不安が解消し心理的なストレスを軽減することができる。
【００１３】
また、使用者が床面に平置き、または転倒した杖を拾い上げる場合において、本発明によれば、本体フレームと床面との隙間が非装着に比べ５〜８ｍｍ広がることで指の差し入れが容易となり把持するまでの所要時間が短縮されることで身体的な負担を軽減できる。
【００１４】
また、杖の使用者が着席して杖を保持する際に、本発明による全方位に複数具備された把持しやすい略流線形の羽根状部材と手との摩擦力が増大し杖の滑り落ちや転倒を防ぐことができる。
【００１５】
また、杖の使用者が車椅子と併用して使用する際、車椅子を使用時に杖を両下肢の間に挟み込み保持することが多いが、本発明による全方位に複数具備された略流線形の羽根状部材により両下肢との摩擦力が増大することで杖の滑り落ちや転落を防ぐことができる。
【００１６】
本発明の請求項１、請求項２、請求項３に記載の杖用転倒防止具により、一般的な歩行補助杖の利便性を向上させることができる。  
【図面の簡単な説明】
【００１７】
【図１】この発明の一実施形態を示す斜視図である。
【図２】一般的な歩行補助杖を示す側面図である。
【図３】一般的な歩行補助杖の使用形態を示す正面図である。
【図４】一般的な歩行補助杖の使用形態を示す側面図である。
【図５】この発明の一実施形態を示す正面図である。
【図６】この発明の一実施形態を示す側面図である。
【図７】この発明の一実施形態を示す上面図である。
【発明を実施するための形態】
【００１８】
以下、添付画像を参照して、本発明に従う杖用転倒防止具の一実施形態について説明する。図1は、この発明の一実施形態を示す斜視図であり、図２は、一般的な歩行補助杖を示す側面図であり、図３は一般的な歩行補助杖を机などに立て掛けた状態を示す正面図であり、図４は一般的な歩行補助杖を平面に平置きした状態を示す側面図であり、図５はこの発明を一般的な歩行補助杖に装着して机などに立て掛けた状態を示す正面図であり、図６は一般的な歩行補助杖にこの発明を装着して平面に平置きした状態を示す側面図であり、図７はこの発明を円筒部の開口部上方から見た上面図である。
【００１９】
図１において、図示の杖用転倒防止具は、円筒部５の外周面に複数の羽根状部材４が等間隔に配置されており、羽根状部材４は一端が狭く他端が広い略流線形の形状を有している。
【００２０】
この実施形態では、円筒部５の内側にかまぼこ型の突起部６を両端まで均等に複数個設けており、本発明を一般的な歩行補助杖に装着する際に、本体フレームとの摩擦を軽減させて装着を容易にすることができるが、突起部６の形状は、例えば三角柱のような形状で本体フレームとの接触面積が小さいものであれば前述の効果が得られ、個数においても素材や硬度により可変とすることができる。
【００２１】
この実施形態では、羽根状部材４の形状は広範な立て掛け角度に最適であり、把持しやすい形状である上端から約１０〜２０ｍｍを頂点とする一端が狭く他端が広い略流線型とするが、例えば頂点を任意の位置としてもよく、アーチ状やひし形などの形状にしてもよい。
【００２２】
このような羽根状部材４においては、羽根状部材の枚数は図７で図示するとおり、全方向で杖を立て掛けることができ、平面に平置きし場合に隙間を生じさせることができるように均等に８枚を配置しているが、羽根状部材４の形状や素材により枚数は可変としてもよい。
【００２３】
この実施形態では、シリコン樹脂を素材としており、物理的特性と耐油、耐薬品特性において最も好ましいが、弾力性を持つ天然ゴムや合成天然ゴム、ブチルゴム、エチレンプロピレンゴム、クロロブレンゴムなどの素材において実施することも可能である。 
【００２４】
この実施形態では、シリコン樹脂の硬度をＪＩＳ２０〜５０とし、素材の伸び特性により外周直径１９〜２２ｍｍ程度の本体フレームに装着が可能であるが、素材や硬度を変える事で装着可能な本体フレームの外周直径の範囲を１５〜３０ｍｍ程度に広げることが可能である。
【００２５】
この実施形態では、例えば素材に蛍光顔料や蓄光顔料を混入してもよく、このようにすることで、暗部における視認性が向上し、歩行補助用杖の位置の把握が容易となり、把持や躓き防止のための回避行動が容易となる。
【００２６】
以上、本発明に従う杖用転倒防止具の一実施形態について説明したが、本発明はかかる実施形態に限定されるものではなく、本発明の範囲を逸脱することなく種々の変形乃至修正が可能である。 
【符号の説明】
【００２７】
１  グリップ
２  本体フレーム
３  石突
４  羽根状部材
５  円筒部
６  突起
【図１】
2019024928.tif 000003
【図２】
2019024928.tif 000004
【図３】
2019024928.tif 000005
【図４】
2019024928.tif 000006
【図５】
2019024928.tif 000007
【図６】
2019024928.tif 000008
【図７】
2019024928.tif 000009